(57)【要約】【課題】  多種の通貨を扱うことができる自動両替機および自動両替方法を提供する。【解決手段】  自動両替機は、予め、両替を行なう為の複数種類の通貨の予め収納し、前記複数種類の通貨の間で定められた交換レートを記憶する。利用者が投入する両替をするための複数種類の通貨の紙幣を受け入れ、受け入れた受入通貨の種類および金額を判別する。利用者の操作を受け付け、両替先の通貨である払出通貨を入力された操作に基づいて選択する。前期受入通貨の金額を、記憶している交換レートを参照して、前記払出通貨の金額に換算し、収納している複数種類の通貨の中から、換算した金額の払出通貨の紙幣を払い出す。【選択図】      図２
2008250540.tif 000002
【特許請求の範囲】
【請求項１】
両替を行なう為の複数種類の通貨の紙幣を収納する紙幣収納部と、
前記複数種類の通貨の間で予め定められた交換レートを記憶する記憶手段と、
両替をするための複数種類の通貨の紙幣を受け入れる入金手段と、
前記入金手段により受け入れた受入通貨の種類および金額を判別する判別手段と、
利用者により操作可能な操作入力手段と、
両替先の通貨である払出通貨を前記操作入力手段により入力された操作に基づいて選択する第１の選択手段と、
前記判別手段により判別した受入通貨の金額を、前記記憶手段により記憶されている交換レートを参照して、前記第１の選択手段により選択した払出通貨の金額に換算する換算手段と、
前記換算手段により換算した金額の払出通貨の紙幣を前記紙幣収納部から出金する紙幣出金手段と、
を備える自動両替機。
【請求項２】
両替を行なう為の複数種類の通貨の貨幣を収納する貨幣収納部と、
前記換算手段により換算した金額のうち、前記第１の選択手段により選択した払出通貨の紙幣の最低額未満の金額の貨幣を前記貨幣収納部から出金する貨幣出金手段と、
をさらに備える請求項１に記載の自動両替機。
【請求項３】
利用者が提示する携帯可能電子装置を処理する読取書込手段と、
前記換算手段により換算した金額のうち、前記第１の選択手段により選択した払出通貨の紙幣の最低額未満の金額を前記読取書込手段により前記携帯可能電子装置に金額情報として積算する積算手段と、
をさらに備える請求項１又は２に記載の自動両替機。
【請求項４】
利用者が提示する携帯可能電子装置を処理する読取書込手段と、
前記換算手段により換算した金額のうち、前記第１の選択手段により選択した払出通貨の紙幣の最高額未満の金額を前記読取書込手段により前記携帯可能電子装置に金額情報として積算する積算手段と、
をさらに備える請求項１に記載の自動両替機。
【請求項５】
前記換算手段により換算した金額のうち、前記第１の選択手段により選択した払出通貨の紙幣の最低額未満の金額を前記貨幣出金手段により現金で出金するか、前記積算手段により前記携帯可能電子装置に金額情報として積算するかを前記操作入力手段により入力された操作に基づいて選択する第２の選択手段をさらに備える請求項３に記載の自動両替機。
【請求項６】
利用者を特定する情報が記録され、利用者が提示する認証媒体から情報を処理する読取書込手段と、
利用者から被認証情報を取得する被認証情報取得手段と、
前記読取書込手段により前記認証媒体から読み取った認証情報と、前記認証情報取得手段により利用者から取得した被認証情報とが一致するか否か認証する認証手段と、
前記認証手段により、前記認証媒体から読み取った認証情報と、前記利用者から取得した被認証情報とが一致すると判定した場合、前記紙幣出金手段による紙幣の出金を許可する許可手段と、
をさらに備える請求項１乃至４のいずれかに記載の自動両替機。
【請求項７】
前記認証情報は、利用者のサイン画像の情報である請求項６に記載の自動両替機。
【請求項８】
前記認証情報は、利用者の顔画像の情報である請求項６に記載の自動両替機。
【請求項９】
交換レートを受信する受信手段と、
前記記憶手段に記憶されている交換レートを前記受信手段により受信した交換レートに更新する交換レート更新手段と
をさらに備える請求項１に記載の自動両替機。
【請求項１０】
前記入金手段により受け入れた受入通貨が正当な紙幣であるか否かを判定する真偽判定手段をさらに備える請求項１に記載の自動両替機。
【請求項１１】
前記入金手段により受け入れた受入通貨が正当な紙幣でないと前記真偽判定手段により判定した場合、通報する通報手段をさらに備える請求項１０に記載の自動両替機。
【請求項１２】
払出通貨の金額に制限を設ける制限設定手段をさらに備える請求項１に記載の自動両替機。
【請求項１３】
前記制限設定手段により設定した制限に基づいて前記換算手段による換算処理を制限する制限手段をさらに備える請求項１２に記載の自動両替機。
【請求項１４】
両替を行なう為の複数種類の通貨の紙幣を収納し、
前記複数種類の通貨の間で予め定められた交換レートを記憶し、
両替をするための複数種類の通貨の紙幣を受け入れ、
受け入れた受入通貨の種類および金額を判別し、
利用者の操作に基づいて両替先の通貨である払出通貨を選択し、
記憶した前記交換レートを参照して、前記受入通貨の金額を前記払出通貨の金額に換算し、
収納している前記複数種類の通貨の紙幣の中から換算した金額の払出通貨の紙幣を出金する自動両替方法。
【請求項１５】
予め両替を行なう為の複数種類の通貨の貨幣をさらに収納し、
前記受入通貨から前記払出通貨に換算した金額のうち、前記払出通貨の紙幣の最低額未満の金額の貨幣を収納している前記複数種類の通貨の貨幣の中から出金する請求項１４に記載の自動両替方法。
【発明の詳細な説明】
【技術分野】
【０００１】
本発明は、例えば、両替処理を行なう自動両替機に関し、複数の通貨に対応した自動両替機および自動両替方法に関する。
【背景技術】
【０００２】
近年、海外から、若しくは、海外への出入国者が増加している。出入国者は、出入国を行なう場合、所持している通貨を行き先の国の通貨に両替する必要がある。通常、空港内の銀行またはホテルなどが両替を行なっている。しかし、異種の通貨間での両替は、様々な種類の紙幣を扱い、日々更新される外国為替レート（交換レート）を参照しながら換算を行う為、非常に複雑な作業であった。  
そこで、第１の通貨から第２の通貨、若しくはトラベラーズチェック（金券）へ所望の紙幣の組み合わせで両替を行なうことができる自動両替機及び両替方法が提供されている。（たとえば、特許文献１参照）。
【特許文献１】特開平６−１９５５４５号公報
【発明の開示】
【発明が解決しようとする課題】
【０００３】
上記した自動両替機及び両替方法は、第１の通貨から第２の通貨、若しくはトラベラーズチェック（金券）へ換算して両替する構成となっている。しかし、実際に両替を行なう場合、多種の通貨を扱う必要がある。この為、両替を行なう通貨の組み合わせ毎に両替機を設置する必要があり、非常に設備投資が嵩むという問題がある。また、両替先の通貨の最低額の紙幣の金額に満たない金額は両替されないという問題もある。
【０００４】
そこで、本発明の目的は、多種の通貨を扱うことができる自動両替機および自動両替方法を提供することにある。
【課題を解決するための手段】
【０００５】
本発明の一実施形態としての自動両替機は、両替を行なう為の複数種類の通貨の紙幣を収納する紙幣収納部と、前記複数種類の通貨の間で予め定められた交換レートを記憶する記憶手段と、両替をするための複数種類の通貨の紙幣を受け入れる入金手段と、前記入金手段により受け入れた受入通貨の種類および金額を判別する判別手段と、利用者により操作可能な操作入力手段と、両替先の通貨である払出通貨を前記操作入力手段により入力された操作に基づいて選択する第１の選択手段と、前記判別手段により判別した受入通貨の金額を、前記記憶手段により記憶されている交換レートを参照して、前記第１の選択手段により選択した払出通貨の金額に換算する換算手段と、前記換算手段により換算した金額の払出通貨の紙幣を前記紙幣収納部から出金する紙幣出金手段とを備える。
【０００６】
また、本発明の一実施形態としての自動両替方法は、予め両替を行なう為の複数種類の通貨の紙幣を収納し、前記複数種類の通貨の間で予め定められた交換レートを記憶し、両替をするための複数種類の通貨の紙幣を受け入れ、受け入れた受入通貨の種類および金額を判別し、利用者の操作に基づいて両替先の通貨である払出通貨を選択し、記憶した前記交換レートを参照して、前記受入通貨の金額を前記払出通貨の金額に換算し、収納している前記複数種類の通貨の紙幣の中から換算した金額の払出通貨の紙幣を出金する。
【発明の効果】
【０００７】
この発明の形態によれば、多種の通貨を扱うことができる自動両替機および自動両替方法を提供することができる。
【発明を実施するための最良の形態】
【０００８】
以下、図面を参照しながら、本発明の一実施形態に係る自動両替機について詳細に説明する。
【０００９】
図１は、本実施形態に係る自動両替機の概観を示す図である。また、図２は、図１に示す自動両替機１の内部構成を示すブロック図である。  
自動両替機１は、利用客の操作に基づいて複数の通貨の紙幣及び貨幣の受払いを自動的に行なう装置である。図１に示すように、自動両替機１は、表示パネル２、紙幣受入口７、紙幣払出口８、貨幣払出口９、ＩＣカードスロット１０、および、明細書発行口１１を装置表面に備えている。また、図２に示すように、自動両替機１は、制御ユニット１００、紙幣受入ユニット７０、紙幣払出ユニット８０、貨幣払出ユニット９０、ＩＣリーダライタ１２、および、プリンタ１３を装置内部に備えている。
【００１０】
制御ユニット１００は、自動両替機１全体の制御を司る。制御ユニット１００は、制御部１１０、ＲＡＭ１２０、ＲＯＭ１３０、不揮発性メモリ１４０を備えている。制御部１１０は、ＲＯＭ１３０および不揮発性メモリ１４０に記憶されているプログラムおよびデータに基づいて動作することにより、種々の処理手段として機能する。
【００１１】
ＲＡＭ１２０は、揮発性のメモリであり、制御部１１０により処理データを一時的に記憶するワーキングメモリとして機能する。ＲＯＭ１３０は、各種のプログラム、および、プログラムを実行するためのデータを記憶している不揮発性のメモリである。ＲＯＭ１３０は、通貨判別プログラム、紙幣の真偽判定プログラム、換算プログラム、および、認証プログラムを記憶している。
【００１２】
不揮発性メモリ１４０は、データの書き込み及び書き換えが可能な不揮発性のメモリである。例えば、不揮発性メモリ１４０は、複数種類の通貨間で予め定められている外国為替レート（交換レート）を記憶する記憶手段として機能する。この外国為替レートは、本装置の両替処理の換算処理に用いられる。
【００１３】
また、不揮発性メモリ１４０は、本装置が扱うことができる複数の通貨の表面の画像情報をデータベースとして記憶している。さらに、不揮発性メモリ１４０は、本装置が扱うことができる複数の通貨の真偽判定用の画像情報をデータベースとして記憶している。
【００１４】
表示パネル２は、表示部３、操作キー４、カメラ５を備えている。表示部３には、制御部１１０の制御により、各種の案内、処理結果、あるいは外国為替レートなど、様々な情報を表示される。操作キー４は、利用者が入力操作を入力するための複数のボタンである。カメラ５は、制御部１１０の制御により、自動両替機１を操作している利用者の顔画像を取得する。また、表示部３は、電子ペン６の先端と画面との接触状態を読み取って信号に置き換えるセンサ３１を備えている。また、表示部３は、利用者に電子ペン６により表示部３をタッチさせることにより、操作入力を受け付けるようにしてもよい。
【００１５】
制御部１１０は、操作キー４、あるいはセンサ３１により入力された利用者の操作入力に基づいて様々な処理を行なう。例えば、制御部１１０は、表示部３に両替先の通貨を選択させる両替通貨選択画面を表示させ、両替通貨選択画面表示中の利用者の操作入力に基づいて両替先の通貨を払出通貨として選択する。
【００１６】
また、例えば、利用者が電子ペン６により表示部３にサインを記入すると、制御部１１０は、記入されたサインを画像情報として取得する。即ち、制御部１１０は、カメラ５およびセンサ３１により、利用者の顔画像およびサイン画像などの被認証情報を取得する被認証情報取得手段として機能する。
【００１７】
紙幣受入口７は、利用者が投入する現金を受入通貨として自動両替機１内に受け入れる。図２に示すように、紙幣受入ユニット７０が紙幣受入口７付近の装置内部に内蔵されている。
【００１８】
紙幣受入ユニット７０は、紙幣受入口７に投入された紙幣を装置内部に受け入れるための機構であり、入金手段として機能する。紙幣受入ユニット７０は、両替をするための複数種類の通貨の紙幣を受け入れる。紙幣受入ユニット７０は、検知部７１、真偽判定部７２、および、紙幣収納部７３を備えている。紙幣受入口７に受入通貨が投入されると、紙幣受入ユニット７０は、検知部７１により投入された受入通貨の表面を撮像し、撮像した表面画像を金種判別用の画像として制御部に送信する。
【００１９】
また、紙幣受入ユニット７０は、真偽判定部７２により、受入通貨から、真偽判定処理に用いるための画像を撮像する。例えば、紙幣受入ユニット７０は、真偽判定部７２により、透かし、あるいは、蛍光インクなど、通貨に施されている偽造防止処理を確認するために、透過光、あるいは、ブラックライトの照射などを照射した状態で通貨を撮像し、撮像した表面画像を真偽判定用の画像として制御部に送信する。
【００２０】
紙幣収納部７３は、判別処理、および、真偽判定処理が行なわれた受入通貨を格納するための集積庫である。紙幣受入ユニット７０は、図示しない複数のローラを備えている。ローラは、所定方向に回転することにより、紙幣受入口７に投入された受入通貨を紙幣受入ユニット７０に取り込む。取り込まれた受入通貨は、紙幣受入ユニット７０内の複数のローラにより紙幣収納部７３に搬送される。
【００２１】
紙幣払出口８は、両替先の通貨である払出通貨のうちの紙幣を自動両替機１内から払い出す。図２に示すように、紙幣払出ユニット８０が紙幣払出口８付近の装置内部に内蔵されている。
【００２２】
紙幣払出ユニット８０は、制御部１１０による指示に基づいて収納している紙幣を紙幣払出口８から払い出すための機構であり、紙幣出金手段として機能する。紙幣払出ユニット８０は、紙幣収納部８１を備えている。紙幣収納部８１は、本装置が扱う通貨の紙幣の種類の数の集積庫を備えている。各集積庫は、紙幣の券種で区別された払出用の紙幣を複数枚収納している。即ち、紙幣収納部８１は、両替を行なう為の複数種類の通貨の紙幣を収納する。
【００２３】
紙幣払出ユニット８０は、図示しない複数のローラを備えている。ローラは各集積庫に設置されている。紙幣払出ユニット８０は、制御部１１０による指示に基づいて各集積庫に設置されているローラを所定方向に回転させることにより、所望の紙幣を払出通貨として紙幣払出口８へ搬送する。
【００２４】
貨幣払出口９は、払出通貨のうち貨幣を自動両替機１内から払い出す。図２に示すように、貨幣払出ユニット９０が貨幣払出口９付近の装置内部に内蔵されている。
【００２５】
貨幣払出ユニット９０は、制御部１１０による指示に基づいて収納している貨幣を貨幣払出口９から払い出すための機構であり、貨幣出金手段として機能する。貨幣払出ユニット９０は、貨幣収納部９１を備えている。貨幣収納部９１は、本装置が扱う通貨の貨幣の種類の数の集積庫を備えている。各集積庫は、貨幣の種類で区別された払出用の貨幣を複数枚収納している。即ち、貨幣収納部９１は、両替を行なう為の複数種類の通貨の貨幣を収納する。
【００２６】
貨幣払出ユニット９０は、図示しない複数のローラを備えている。ローラは各集積庫に設置されている。貨幣払出ユニット９０は、制御部１１０による指示に基づいて各集積庫に設置されているローラを所定方向に回転させることにより、所望の貨幣を払出通貨として貨幣払出口９へ搬送する。
【００２７】
制御部１１０は、ＲＯＭ１３０に記憶されている通貨判別プログラムを実行することにより、図１に示す紙幣受入口７に投入された受入通貨の種類および金額を判別する判別手段として機能する。即ち、制御部１１０は、検知部７１により受入通貨の表面を撮像し、撮像した表面画像と、不揮発性メモリ１４０に記憶されている複数の通貨の表面の画像情報とを比較することにより、受入通貨の種類および金額を判別する判別処理を行なう。
【００２８】
また、制御部１１０は、ＲＯＭ１３０に記憶されている真偽判定プログラムを実行することにより、受入通貨が正規の紙幣であるか否か判定する真偽判定手段として機能する。即ち、制御部１１０は、真偽判定部７２により撮像した受入通貨の真偽判定用の画像と、不揮発性メモリ１４０に記憶されている通貨の真偽判定用の画像とを比較することにより、受入通貨が正規の紙幣であるか否か判定する真偽判定処理を行なう。
【００２９】
さらに、制御部１１０は、ＲＯＭ１３０に記憶されている換算プログラムを実行することにより、判別手段により判別した受入通貨の金額を両替先の払出通貨の金額に換算する換算手段として機能する。即ち、制御部１１０は、受入通貨と払出通貨に対応する外国為替レートを不揮発性メモリ１４０から読み出し、読み出した外国為替レートに基づいて受入通貨の金額を払出通貨の金額に換算する換算処理を行なう。
【００３０】
制御部１１０は、不揮発性メモリ１４０に制限情報を設定することにより、換算処理を制限することができる。例えば、払出通貨の限度額を設定することにより、制御部１１０は、設定された限度額以上の払出通貨が払いだされないように、換算処理を停止させるようにしてもよい。
【００３１】
またさらに、制御部１１０は、ＲＯＭ１３０に記憶されている認証プログラムを実行することにより、利用者がＩＣカードに記憶されている個人情報が本人であるか否かを認証する認証手段として機能する。即ち、制御部１１０は、ＩＣカードスロット１０に投入されたＩＣカードからＩＣリーダライタ１２によりサイン画像および顔画像を読み取る。
【００３２】
制御部１１０は、カメラ５により利用者の顔を撮像して顔画像を取得し、同時に、利用者に表示部３にサインを書かせることによりサイン画像を取得する。制御部１１０は、ＩＣカードから取得した顔画像およびサイン画像と、利用者から取得した顔画像およびサイン画像とが一致するか否か認証する認証処理を行なう。制御部１１０は、この認証処理により、被認証情報と認証情報が一致すると判定した場合、払出通貨を払いだすことを許可する。
【００３３】
なお、紙幣払出ユニット８０、および、貨幣払出ユニット９０にそれぞれ真偽判定部と検知部を備えることにより、払出の際にも判別処理および真偽判定処理を行なうようにしてもよい。これにより、払出通貨の間違い、正当ではない通貨の払出を防ぐことができる。
【００３４】
また、制御部１１０は、外部機器との通信手段を備えている。これにより、制御部１１０は、種々のデータの受信、および送信を行なうことができる。例えば、制御部１１０は、外部機器より新たな外国為替レートを受信することにより、不揮発性メモリ１４０に記憶されている外国為替レートを更新する交換レート更新手段として機能する。
【００３５】
さらに、制御部１１０は、手数料等の設定情報を受信することにより、随時設定情報の更新を行うようにしてもよい。また、制御部１１０は、真偽判定処理により、受入通貨が正当な紙幣ではないと判定した場合、警察や、自動両替機１を管理している管理者に、正当ではない紙幣を受け入れたことを通報する通報手段として機能する。
【００３６】
ＩＣカードスロット１０は、利用者が所持している携帯可能電子装置としてのＩＣカードを受け入れるカードスロットである。ＩＣカードスロット１０の入り口にてＩＣカードを検知すると、ＩＣカードスロット１０は図示しないローラを動作させることにより、ＩＣカードを装置内部に受け入れる。また、ＩＣカードスロット１０は、ローラを動作させることにより、装置内部に投入されたＩＣカードを排出する。さらに、投入されたＩＣカードに対して種々の処理を行なうＩＣリーダライタ１２がＩＣカードスロット１０付近の装置内部に内蔵されている。
【００３７】
本実施形態で用いられるＩＣカードの内部メモリは、利用者の顔画像、および、サイン画像などの認証情報を記憶している認証媒体としても扱われる。サイン画像とは、ＩＣカードの利用者により記入されたサインを画像情報として記憶したものである。例えば、本装置が空港に設置される場合、ＩＣカードは、パスポートナンバー、フライトナンバー、および、渡航先などの情報をさらに記憶していてもよい。また、ＩＣカードが、料金の精算などに利用される電子マネーなどの機能有している場合、内部メモリは、さらに金額情報を記憶している。この金額情報は、通貨毎に個別に記憶されている。若しくは、内部メモリに記憶される金額情報は、任意の通貨に換算されて記憶されるようにしてもよい。
【００３８】
ＩＣリーダライタ１２は、ＩＣカードと通信を行うためのインターフェース装置である。ＩＣリーダライタ１２は、ＩＣカードスロット１０に投入されたＩＣカードに対して、電源供給、クロック供給、リセット制御、および、データの送受信を行う。これにより、ＩＣリーダライタ１２は、制御部１１０による指示に基づいて、ＩＣカードの活性化（起動）、種々の処理コマンドの送信、及び送信した処理コマンドに対する応答の受信などを行なう。例えば、ＩＣリーダライタ１２は、ＩＣカードから、ＩＣカードの所持者の顔画像、および、サイン画像などの情報を読み取る。
【００３９】
また、ＩＣリーダライタ１２は、ＩＣカードに記憶されている金額情報を制御部１１０の指示に基づいて書き換えることができる。また、ＩＣリーダライタ１２は、制御部１１０による指示に基づいて、投入されたＩＣカードをＩＣカードスロット１０から排出するようにＩＣカードスロット１０を制御する。
【００４０】
明細書発行口１１は、自動両替機１による両替処理の結果が印刷された明細書を発行する発行口である。ここで発行される明細書を印字するプリンタ１３が明細書発行口１１付近の装置内部に内蔵されている。
【００４１】
プリンタ１３は、自動両替機１による両替処理の結果を印刷して明細書を作成する。プリンタ１３は、制御部１１０から送信される処理結果を印字し、図示しないローラにより明細書を明細書発行口１１へ搬送する。ここで発行される明細書は、受入通貨の種類と計数、払出通貨の種類と計数、対応する通貨の外国為替レート、および、手数料の情報などを含んでいる。
【００４２】
図３は、図２に示す不揮発性メモリ１４０に記憶されている外国為替レートの例を示す説明図である。外国為替レートは、各国の通貨間で外国為替取引が成立したときに取り決められる交換レートである。例えば、図３に示す外国為替レートによると、日本円における１円は、米国ドルの場合０．００８３ドル、豪州ドルの場合０．０１０６ドル、英国ポンドの場合０．００４２ポンド、ユーロの場合０．０６３ユーロと交換される。
【００４３】
図２に示す制御部１１０は、判別処理により受入通貨の金額を判別すると、図３に示す外国為替レートのうち、受入通貨と払出通貨に対応する外国為替レートを参照し、換算処理を行なう。
【００４４】
図４は、自動両替機１とホストコンピュータの接続を示す説明図である。ホストコンピュータ２００は、自動両替機１が設置される施設のカウンター内、あるいは、情報端末室など、自動両替機１の管理者だけが扱うことができる位置に設置される。ホストコンピュータ２００は、施設内に設置されている全ての自動両替機（自動両替機１Ａ、１Ｂ、１Ｃ）とＬＡＮなどにより接続されている。
【００４５】
ホストコンピュータ２００は、銀行、あるいは、証券会社などから最新の外国為替レートを随時取得する。ホストコンピュータ２００は、取得した最新の外国為替レートを、ＬＡＮなどを介して、自動両替機１Ａ、１Ｂ、１Ｃに送信する。各自動両替機１Ａ、１Ｂ、１Ｃは、ホストコンピュータ２００から最新の外国為替レートを受信すると、不揮発性メモリ１４０に記憶されている外国為替レートを受信した最新の外国為替レートに更新する。
【００４６】
また、ホストコンピュータ２００は、手数料などの設定情報を自動両替機１Ａ、１Ｂ、１Ｃに送信することにより、自動両替機１Ａ、１Ｂ、１Ｃの設定情報を変更することができる。またさらに、ホストコンピュータ２００は、通貨の券種を判別するための画像情報、および、通貨の真偽判定用の画像情報報を自動両替機１Ａ、１Ｂ、１Ｃに送信することにより、情報を更新することができる。
【００４７】
次に、自動両替機１の動作について説明する。  
図５および図６は、自動両替機１による両替処理を説明するためのフローチャートである。また、図７乃至図１８は、自動両替機１の表示部３に表示される各種画面の表示例を示す図である。前述したように、ここでは、自動両替機１の表示部３は、電子ペン６により利用者の操作入力を受け付けるものとする。
【００４８】
まず、自動両替機１の電源が投入されると、制御部１１０は、起動処理を実行し、図７に示すＴＯＰ画面を表示部３に表示し（ステップＳ１１）、利用者からの操作入力を待つ待機状態となる（ステップＳ１２）。図７は、自動両替機１の両替処理における初期メニューである。ＴＯＰ画面は、取り扱い通貨の種類と、両替処理を開始するための「両替をする」キー７０１を電子ペン６により選択可能な状態で表示する。
【００４９】
ＴＯＰ画面において、「両替をする」キー７０１が選択されると（ステップＳ１２）、制御部１１０は、図８に示す外国為替レート確認画面を表示部３に表示する（ステップＳ１３）。図８は、自動両替機１の換算処理に用いられる最新の外国為替レートの表示例である。外国為替レート確認画面は、不揮発性メモリ１４０に記憶されている外国為替レートを表８０１として表示する。また、外国為替レート確認画面は、次の画面に進むための「ＯＫ」キー１０１、および、前の画面に戻るための「戻る」キー１０２を選択可能な状態で表示する。
【００５０】
外国為替レート確認画面の表示中に「ＯＫ」キー１０１が選択されると、制御部１１０は、図９に示す両替通貨選択画面を表示部３に表示する（ステップＳ１４）。図９は、自動両替機１の両替処理における両替先の通貨として払出通貨を選択するためのメニューである。両替通貨選択画面は、払出通貨を選択するためのキーとして、「日本円」キー９０１、「米国ドル」キー９０２、「豪州ドル」キー９０３、「英国ポンド」キー９０４、および、「ユーロ」キー９０５を選択可能な状態で表示する。即ち、制御部１１０は、両替先の通貨である払出通貨を利用者による操作に基づいて選択する選択手段として機能する。ここで表示する通貨は、自動両替機１で扱うことができる通貨が変更される毎に、適宜変更される。
【００５１】
両替通貨選択画面において払出通貨が選択されると、制御部１１０は、図１０に示すＩＣカード投入画面を表示部３に表示する（ステップＳ１５）。図１０は、利用者にＩＣカードの投入を促すための案内表示である。ＩＣカード投入画面は、自動両替機１の外観と、ＩＣカードを投入するＩＣカードスロット１０の位置を特定した枠とを表示する。
【００５２】
ＩＣカード投入画面の表示中にＩＣカードが自動両替機１のＩＣカードスロット１０に投入されたことを検知すると、制御部１１０は、ＩＣリーダライタ１２により、ＩＣカードから顔画像、および、サイン画像などの情報を読み取る（ステップＳ１６）。また、制御部１１０は、ＩＣリーダライタ１２により、ＩＣカードから金額情報を読み取る。
【００５３】
ＩＣカードを読み取ると、制御部１１０は、図１１に示すサイン記入画面を表示部３に表示する（ステップＳ１７）。図１１は、利用者に電子ペン６によりサインを記入させるための表示である。サイン記入画面は、利用者にサインを記入させる位置を案内するサイン記入欄１１０１を表示する。サイン記入画面の表示中に「ＯＫ」キー１０１が選択されると、制御部１１０は、サイン記入欄１１０１内に記入されたサインを画像情報として取得する（ステップＳ１８）。
【００５４】
サイン画像を取得すると、制御部１１０は、図１２に示す撮像画面を表示部３に表示する（ステップＳ１９）。図１２は、利用者に顔の撮影を求めるための案内表示である。撮像画面は、自動両替機１の外観と、カメラ５の位置を特定した枠とを表示する。撮像画面を表示して一定時間経過すると、制御部１１０は、カメラ５により自動両替機１を操作している利用者の顔を撮像し、顔画像を取得する（ステップＳ２０）。
【００５５】
顔画像を取得すると、制御部１１０は、図１３に示す認証画面を表示部３に表示し（ステップＳ２１）、認証処理を行なう（ステップＳ２２）。図１３は、認証処理の進行状況を示す表示である。認証画面は、プログレスバー１３０１を表示する。プログレスバー１３０１は、認証処理が進行するにつれて、その長さが長くなり、認証処理が終了した時点でその長さが予め定められた最大長となる。即ち、利用者は、プログレスバー１３０１により、認証処理が処理全体のうち何％程度進んだかを視覚的に把握することができる。
【００５６】
認証処理中に、制御部１１０は、利用者から取得した顔画像およびサイン画像などの被認証情報と、ＩＣカードから読み取った顔画像およびサイン画像などの認証情報とが一致するか否か判定する（ステップＳ２３）。被認証情報と認証情報とが一致すると判定した場合（ステップＳ２３、ＹＥＳ）、制御部１１０は、図１４に示すように、一致したことを示す認証結果を表示部３に表示する（ステップＳ２４）。一致の認証結果は、最大長となったプログレスバー１３０１と、被認証情報と認証情報とが一致したことを示す文字列を表示する。
【００５７】
また、被認証情報と認証情報とが一致しないと判定した場合（ステップＳ２３、ＮＯ）、制御部１１０は、図１５に示すように、不一致であることを示す認証結果を表示部３に表示する（ステップＳ２５）。不一致の認証結果は、最大長となったプログレスバー１３０１、被認証情報と認証情報とが一致しなかったことを示す文字列、サイン記入画面に戻るための「戻る」キー１０２、および、両替処理を終了するための「終了」キー１０３を表示する。
【００５８】
制御部１１０は、一致の認証結果を表示して一定時間経過したと判断すると、図１６に示す現金投入画面を表示部３に表示する（ステップＳ２６）。図１６は、利用者に両替をする通貨の投入を促すための案内表示である。現金投入画面は、自動両替機１の外観と、現金を投入する紙幣受入口７の位置を特定した枠とを表示する。
【００５９】
また、現金投入画面は、受入通貨の種類と金額とが表示される受入金額欄１６０１、受入通貨から選択した払出通貨へ換算した金額と払出通貨の種類とが表示される払出金額欄１６０２、および、換算処理の手数料として差し引かれる金額と通貨の種類とが表示される手数料欄１６０３を表示する。またさらに、現金投入画面は、現在投入されている受入通貨を両替することを確定するための「確定」キー１０４を表示する。
【００６０】
現金投入画面表示中、制御部１１０は、紙幣受入ユニット７０により現金を検知したか否かを継続的に判断する（ステップＳ２７）。現金を検知すると（ステップＳ２７、ＹＥＳ）、制御部１１０は、受入通貨の判別処理を行なう（ステップＳ２８）。即ち、紙幣受入ユニット７０により撮像した受入通貨の表面画像と、不揮発性メモリ１４０に記憶されている通貨の表面の画像情報とを比較し、受入通貨の種類および金額を判別する。
【００６１】
判別を実行すると、制御部１１０は、換算処理を行なう（ステップＳ２９）。即ち、制御部１１０は、受入通貨と払出通貨に対応する外国為替レートを不揮発性メモリ１４０から読み出し、読み出した外国為替レートに基づいて受入通貨の金額を払出通貨の金額に換算する。
【００６２】
換算処理を実行すると、制御部１１０は、現金投入画面の表示を更新する（ステップＳ３０）。即ち、制御部１１０は、投入された受入通貨の金額を受入金額欄１６０１に表示し、受入通貨の金額を換算した払出通貨の金額を払出金額欄１６０２に表示する。受入通貨が複数枚投入される場合、制御部１１０は、受入通貨が投入される度に、既に表示している金額に受入通貨の金額と払出通貨の金額とをそれぞれ加算して表示する。
【００６３】
また、制御部１１０は、現金投入画面表示中、「確定」キー１０４が押されたか否かを継続的に判断する（ステップＳ３１）。「確定」キー１０４が押されたと判定すると（ステップＳ３１、ＹＥＳ）、制御部１１０は、払出通貨に貨幣が含まれるか否かを判定する（ステップＳ３２）。即ち、制御部１１０は、払出通貨を払出通貨の紙幣のみで構成することができるか否かを判断する。
【００６４】
払出通貨に貨幣が含まれると判断した場合（ステップＳ３２、ＹＥＳ）、制御部１１０は、図１７に示す払出方法選択画面を表示する（ステップＳ３３）。図１７は、利用者に払出方法を選択させるための表示である。払出方法選択画面は、払出通貨のうちの貨幣で払い出す金額が表示される払出金額欄１７０１を表示する。
【００６５】
また、払出方法選択画面は、利用者に払出金額欄１７０１に表示されている金額を、貨幣で払い出すことを選択させるための「現金」キー１７０２と、ＩＣカードにチャージすることを選択させるための「チャージ」キー１７０３とを表示する。即ち、制御部１１０は、払出通貨の金額のうちの払出通貨の紙幣の最低額未満の金額を現金で出金するか、ＩＣカードにチャージするかを利用者による操作に基づいて選択する選択手段として機能する。
【００６６】
制御部１１０は、払出方法選択画面において利用者が現金を選択したか否かを判定する（ステップＳ３４）。即ち、制御部１１０は、「現金」キー１７０２が選択されたか、「チャージ」キー１７０３が選択されたかを判断する。
【００６７】
利用者が現金を選択したと判定した場合（ステップＳ３４、ＹＥＳ）、制御部１１０は、紙幣払出ユニット８０および貨幣払出ユニット９０を制御することにより、払出通貨の金額の紙幣および貨幣を、紙幣払出口８および貨幣払出口９から払い出す（ステップＳ３５）。
【００６８】
払出方法選択画面において利用者がＩＣカードへのチャージを選択したと判定した場合（ステップＳ３４、ＮＯ）、制御部１１０は、ＩＣリーダライタ１２を制御することにより、ＩＣカードに記憶されている金額情報を書き換える（ステップＳ３６）。即ち、制御部１１０は、ＩＣカードから読み取った金額情報の金額に、払出金額欄１７０１に表示されている金額を積算する積算処理を行なう。即ち、制御部１１０は、積算手段として機能する。
【００６９】
積算処理を行なうと、制御部１１０は、紙幣払出ユニット８０を制御することにより、払出通貨の金額からＩＣカードに積算した金額を引いた金額の紙幣を、紙幣払出口８から払い出す（ステップＳ３７）。
【００７０】
また、払出通貨に貨幣が含まれないと判断した場合（ステップＳ３２、ＮＯ）、制御部１１０は、紙幣払出ユニット８０を制御することにより、払出通貨の金額の紙幣を、紙幣払出口８から払い出す（ステップＳ３８）。
【００７１】
紙幣及び貨幣を払いだすと、制御部１１０は、ＩＣリーダライタ１２を制御することにより、ＩＣカードをＩＣカードスロット１０から排出する（ステップＳ３９）。
【００７２】
ＩＣカードを排出すると、制御部１１０は、図１８に示す両替完了の画面を表示する（ステップＳ４０）。図１８は、両替が完了し、利用者に紙幣、貨幣、およびＩＣカードの受け取りを促すための案内表示である。両替完了画面は、自動両替機１の外観と、払出通貨が払い出される紙幣払出口８および貨幣払出口９の位置を特定した枠と、ＩＣカードが排出されるＩＣカードスロット１０位置を特定した枠とを表示する。また、両替完了画面は、明細書を発行するか否かを選択させるための「発行」キー１８０１と、「不要」キー１８０２とを表示する。
【００７３】
制御部１１０は、両替完了画面において利用者が明細書を発行すると選択したか否かを判定する（ステップＳ４１）。即ち、制御部１１０は、「発行」キー１８０１が選択されたか、「不要」キー１８０２が選択されたかを判断する。
【００７４】
利用者が明細書を発行すると選択したと判定した場合（ステップＳ４１、ＹＥＳ）、制御部１１０は、プリンタ１３を制御することにより、自動両替機１による両替処理の結果が印刷された明細書を明細書発行口１１から発行し（ステップＳ４２）、処理を終了する。利用者が明細書を発行しないと選択したと判定した場合（ステップＳ４１、ＮＯ）、制御部１１０は、そのまま処理を終了する。
【００７５】
このような、自動両替機１によれば、複数種類の通貨の出金用の紙幣および貨幣を収納部に収納しておき、予め外国為替レートを記憶しておく。利用者に両替先の通貨を選択させ、受入通貨と利用者が選択した払出通貨に対応する外国為替レートを参照し、受入通貨の金額を払出通貨の金額に換算する。換算した払出通貨の金額から、払い出すべき紙幣および貨幣を判断し、収納部から払い出す。これにより、利用者の所望の受入通貨と払出通貨の組み合わせで両替処理を行なうことができる。
【００７６】
上記構成によると、多種の通貨を扱うことができる自動両替機および自動両替方法を提供することができる。
【００７７】
また、不揮発性メモリ１４０に記憶されている通貨の判別用の画像情報を変更することにより、自動両替機１で扱う通貨の種類を容易に変更することができる。
【００７８】
また、自動両替機１は、払出通貨の紙幣の最低額未満の金額をＩＣカードにチャージする構成としたが、払出通貨の紙幣の最高額未満の金額をＩＣカードにチャージする構成でもよい。この構成によると、１種類の通貨につき１種類の紙幣を収納しておけばよいため、扱う通貨の種類を増やす、または自動両替機１サイズを小さくすることができる。
【００７９】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００８０】
【図１】図１は、本実施形態に係る自動両替機の概観を示す図である。
【図２】図２は、図１に示す自動両替機の内部構成を示すブロック図である。
【図３】図３は、外国為替レートの例を示す説明図である。
【図４】図４は、自動両替機とホストコンピュータの接続を示す説明図である。
【図５】図５は、自動両替機による両替処理を説明するためのフローチャートである。
【図６】図６は、自動両替機による両替処理を説明するためのフローチャートである。
【図７】図７は、自動両替機の両替処理における初期メニューの表示例である。
【図８】図８は、自動両替機の換算処理における外国為替レートの表示例である。
【図９】図９は、自動両替機の両替処理におけるＩＣカード投入画面の表示例である。
【図１０】図１０は、自動両替機の両替処理におけるサイン記入画面の表示例である。
【図１１】図１１は、自動両替機の両替処理における払出通貨選択画面の表示例である。
【図１２】図１２は、自動両替機の両替処理における撮像画面の表示例である。
【図１３】図１３は、自動両替機の両替処理における認証画面の表示例である。
【図１４】図１４は、自動両替機の両替処理における認証結果画面の表示例である。
【図１５】図１５は、自動両替機の両替処理における認証結果画面の表示例である。
【図１６】図１６は、自動両替機の両替処理における現金投入画面の表示例である。
【図１７】図１７は、自動両替機の両替処理における払出方法選択画面の表示例である。
【図１８】図１８は、自動両替機の両替処理における完了画面の表示例である。
【符号の説明】
【００８１】
１…自動両替機、２…表示パネル、３…表示部、４…操作キー、５…カメラ、６…電子ペン、１２…ＩＣリーダライタ、１３…プリンタ、３１…センサ、７０…紙幣受入ユニット、７１…紙幣収納部、７２…真偽判定部、８０…紙幣払出ユニット、８１…紙幣収納部、９０…貨幣払出ユニット、９１…貨幣収納部、１００…制御ユニット、１１０…制御部、１２０…ＲＡＭ、１３０…ＲＯＭ、１４０…不揮発性メモリ、２００…ホストコンピュータ。
【図１】
2008250540.tif 000003
【図２】
2008250540.tif 000004
【図３】
2008250540.tif 000005
【図４】
2008250540.tif 000006
【図５】
2008250540.tif 000007
【図６】
2008250540.tif 000008
【図７】
2008250540.tif 000009
【図８】
2008250540.tif 000010
【図９】
2008250540.tif 000011
【図１０】
2008250540.tif 000012
【図１１】
2008250540.tif 000013
【図１２】
2008250540.tif 000014
【図１３】
2008250540.tif 000015
【図１４】
2008250540.tif 000016
【図１５】
2008250540.tif 000017
【図１６】
2008250540.tif 000018
【図１７】
2008250540.tif 000019
【図１８】
2008250540.tif 000020